(57)【特許請求の範囲】
【請求項１】
ユーザの失禁を監視する方法であって、
吸収性物品に設けられ、尿に晒されると変化した電気特性を呈示するように構成される尿検知回路を用いて、前記ユーザが前記吸収性物品上に排尿しているかどうかを判定することと、
測定回路を用いて、膀胱の充満レベルにより変化するパラメータとしての前記膀胱のインピーダンス又は超音波によって測定される前記膀胱のサイズを判定するために前記膀胱の測定を実行することと、
前記ユーザが前記吸収性物品上に排尿していることを判定することに応じて、処理回路により、前記パラメータを表すデータを記録することと、
前記測定回路が前記ユーザの皮膚に近接している場合の第１の電気特性若しくは応答、及び前記測定回路が前記ユーザの皮膚から遠隔している場合の第２の電気特性若しくは応答を呈示するように構成された皮膚近接センサを用いて、前記皮膚近接センサの変化した電気特性又は応答に基づいて前記皮膚近接センサと前記ユーザの皮膚との間の分離を検出することと、
この検出することに応じて、前記処理回路により、前記測定回路により判定された前記分離の検出時若しくは前記分離の検出前の第１の時点における前記パラメータとしての第１のパラメータを示すデータを記録することと、
前記処理回路により、前記測定回路により判定された前記第１の時点より後の第２の時点における前記パラメータとしての第２のパラメータを示すデータを記録することとを含むユーザの失禁を監視する方法。
【請求項２】
前記ユーザが前記吸収性物品上に排尿していることを判定することに応じて、前記処理回路により、前記パラメータ及び前記ユーザが前記吸収性物品上に排尿しているという表示を表すデータを記録することを更に含む請求項１に記載の方法。
【請求項３】
前記膀胱の充満レベルにより変化するパラメータを判定するために、前記測定回路を用いて前記膀胱の測定を複数回実行することと、
各判定されたパラメータと前記ユーザが前記吸収性物品上に排尿しているかどうかの表示との間の関連付けを、前記処理回路により記録することとを更に含む請求項１又は請求項２に記載の方法。
【請求項４】
前記記録されたデータで表される前記パラメータに基づいてパラメータ閾値を、前記処理回路により判定することを更に含む、請求項１から請求項３のいずれかに記載の方法。
【請求項５】
前記記録されたデータで表される前記パラメータ及び以前に判定したパラメータ閾値に基づいてパラメータ閾値を、前記処理回路により判定することを更に含む請求項１から請求項４のいずれかに記載の方法。
【請求項６】
前記パラメータと前記パラメータ閾値を、前記処理回路により比較することと、
前記比較の結果に基づいて警告信号を、前記処理回路により生成することとを更に含む請求項４又は請求項５に記載の方法。
【請求項７】
前記警告信号に応じて、前記ユーザへ視覚的、聴覚的又は触覚的表示を提供することを更に含む請求項６に記載の方法。
【請求項８】
前記尿検知回路へと放出される尿の量を前記処理回路により推定することと、
前記ユーザが前記吸収性物品上に排尿していることを判定することに応じて、前記尿検知回路へと放出される尿の前記推定量を表すデータを前記処理回路により記録することとを更に含む請求項１から請求項７のいずれかに記載の方法。
【請求項９】
前記尿検知回路の前記変化した電気特性に基づいて前記尿の量が推定される請求項８に記載の方法。
【請求項１０】
ユーザ上に構成されるセンサを用いて前記ユーザの向き及び／又は動きを判定することと、
前記尿検知回路が尿に晒されていることを判定することに応じて、前記センサにより判定された前記向き及び／又は前記動きに基づいてユーザの推定された動き及び／又姿勢を表すデータを、前記処理回路により記録することとを更に含む請求項１から請求項９のいずれかに記載の方法。
【請求項１１】
前記記録されたデータ及び前記推定された動き及び／又は姿勢を表す前記データで表される前記パラメータに基づいてパラメータ閾値を、前記処理回路により判定することを更に含む請求項１０に記載の方法。
【請求項１２】
前記膀胱の充満レベルにより変化するパラメータを判定するために、前記測定回路を用いて、複数回、前記膀胱の測定を実行することと、
前記処理回路により、各判定されたパラメータを１つ以上のパラメータ閾値と比較することとを更に含み、
各閾値は動き及び／又は姿勢に関連付けられている請求項１０又は請求項１１に記載の方法。
【請求項１３】
前記処理回路により、前記判定されたパラメータに基づいて膀胱充満レベルを推定することと、
前記ユーザへ前記推定された膀胱充満レベルを示す視覚的、聴覚的又は触覚的信号を提供することとを更に含む請求項１から請求項１２のいずれかに記載の方法。
【請求項１４】
前記第１のパラメータと前記第２のパラメータとの間の比較を実行することとをさらに含む請求項１に記載の方法。
【請求項１５】
前記第２の時点は予め決められた時間間隔により前記第１の時点に対して遅延している請求項１または請求項１４に記載の方法。
【請求項１６】
前記第２の時点は、前記処理回路が、皮膚に対する前記皮膚近接センサの復元した近接度を検出した後又は検出する時点に対応している請求項１または請求項１４に記載の方法。
【発明の詳細な説明】
【技術分野】
【０００１】
本発明の概念はユーザの失禁を監視する方法に関連する。
【背景技術】
【０００２】
尿失禁又は排尿制御機能の不全はあらゆる年齢の男性及び女性の両方に影響を及ぼす一般的な課題である。多くの人は恥ずかしいと感じ、助けを求めて医師に行く勇気がない。これは慢性的失禁をもたらし得る。従来技術において、失禁を管理する一般的な方法は、おむつ、生理用ナプキン若しくはパッドなどの吸収性物品、又は更にカテーテルを用いることである。しかしながら、これは、失禁事象が生じたときの、着用者の不便さを低減するのみである。
【０００３】
一般的なタイプの尿失禁は緊張性尿失禁及び切迫性尿失禁を含む。緊張性尿失禁及び切迫性尿失禁の両方を含む混合タイプの失禁もある。緊張性尿失禁は、通常、出産、過体重又は／及び何らかの薬剤の結果としての骨盤支持構造体に対する損傷の結果である尿道のサポートの喪失により引き起こされる場合がある。緊張性尿失禁は、典型的には、咳をすること、くしゃみをすること及び持ち上げること、あるいは例えばスポーツ活動中の急速な動きなどの腹圧を増大させる活動中の比較的少量の尿の漏れを特徴とする。緊張性尿失禁の主な治療法は骨盤底体操である。その他の可能性は膀胱出口を締める又はサポートするための手術又は薬剤の処方であろう。一方、切迫性尿失禁は、異常な膀胱収縮により引き起こされる場合がある。これは、また、「過活動」膀胱と称されることもある。切迫性尿失禁は、典型的には、時間内に便所に到達するための警告が不十分であることに関連した比較的多量の尿の漏れを特徴とする。切迫性尿失禁のために可能性のある治療法は膀胱を再訓練するための骨盤底体操、又は膀胱を緩和するための薬剤の処方である。
【０００４】
従来技術において、例えば、おむつ内の尿の存在を検出するための電気的センサに依拠する種々のシステムは知られている。かかる従来技術のシステムは、しかしながら、多くの場合、おむつが湿ったことを検出し、例えばおむつの着用者又は介護者に対しておむつを交換する必要性の合図をすることができるだけである。しかしながら、このことは、主に着用者又は介護者がおむつを交換する時間であることを判断することをより容易にするという点で、失禁に悩む人々に対する限定的な手助けを提供するだけである。
【発明の概要】
【０００５】
本発明者は尿失禁の監視の改善を可能にするシステムを提供することが有利であることに気が付いた。より具体的には、本発明者は、失禁と類似の問題に悩む多くの人々のために、単なるおむつを交換する必要性以外の態様の監視を提供する失禁を監視するためのシステム又は方法を有することが有用であろう。
【０００６】
本発明の一態様によると、ユーザの失禁を監視する方法が提供され、この方法は、吸収性物品に設けられ、尿に晒された場合に変化した電気特性を呈示するように構成される尿検知回路を用いて、ユーザが吸収性物品上に排尿しているかどうかを判定することと、測定回路を用いて、膀胱の充満レベルにより変化するパラメータを判定するために膀胱の測定を実行することと、ユーザが吸収性物品上に排尿していることを判定することに応じて、処理回路により、このパラメータを表すデータを記録することとを含む。
【０００７】
この方法により不随意の排尿事象（以下互換的に排尿事象又は失禁事象と称される）の実際の検出と膀胱充満レベルを示すパラメータを相関付けることが可能になる。このタイプの相関関係は、前述の通り、時間内に便所に到達するための警告が不十分であることに関連した比較的多量の尿漏れを通常引き起こす切迫性及び混合タイプの失禁の監視に対して特に有用である。失禁事象前の又は失禁事象が発生した場合の膀胱の充満レベルに関する情報は、それによって、どの膀胱充満レベルにおいて失禁事象のリスクが増大するかを理解するために有益である。しかしながら、この方法は、緊張及び腹圧が増大することを意味する活動により引き起こされる比較的少量の尿漏れを監視することに対しても有用であるという点に留意すべきである。なぜなら、かかる漏れの危険性も、膀胱充満レベルとともに増加し得るからである。
【０００８】
尿検知回路が尿に晒されていることを検出又は判定することに応じてデータの記録をトリガすることにより、膀胱充満レベルを示すパラメータが失禁事象時に優勢になる条件に対応するため、正確な監視が提供される。この正確さはいかなる手動監視方法でも達成するのは困難であろう。
【０００９】
本発明の一実施形態によると、この方法は、ユーザが吸収性物品上に排尿していることを判定することに応じて、処理回路により、このパラメータ及びユーザが吸収性物品上に排尿しているという表示を表すデータを記録することを更に含む。処理回路は、このため、尿検知回路が尿に晒されているという表示と測定回路により判定されたこの少なくとも１つのパラメータを関連付ける。この関連付けはこの表示を測定回路により判定されたこの少なくとも１つのパラメータにリンクさせることを含んでもよい。
【００１０】
本発明の一実施形態によると、この方法は測定回路を用いて、膀胱の充満レベルにより変化するパラメータを判定するために膀胱の測定を複数回実行することと、処理回路により、各判定されたパラメータとユーザが吸収性物品上に排尿しているかどうかの表示の間の関連付けを記録することとを更に含む。したがって、処理ユニットは、繰り返し、尿検知回路が尿に晒されているかどうかの表示（例えば、有り／無し、「１」又は「０」）を測定回路により判定されたこの少なくとも１つのパラメータと関連付けてもよい。
【００１１】
処理回路はメモリ内にデータを記録することができる。
【００１２】
本発明の一実施形態によると、処理回路は変化した電気特性に基づいて尿検知回路が尿に晒されていることを判定することができる。より具体的には、尿検知回路の変化した電気特性を検出することにより、処理回路は尿検知回路が尿に晒されていることを判定することができる。
【００１３】
本発明の一実施形態によると、尿検知回路は、尿に晒されると、電気的応答を呈示するように構成され、処理回路は、尿検知回路の電気的応答を検出することにより、尿検知回路が尿に晒されていることを判定することができる。
【００１４】
本発明の一実施形態によると、尿検知回路の変化した電気特性又は電気的応答は、変化した抵抗、変化したキャパシタンス、変化したインダクタンス、変化したインピーダンス、変化した共振周波数、尿検知回路によって生成された変化した電圧、尿検知回路によって生成された変化した電流、尿検知回路の変化した共振周波数を含む群から選択される１つ以上のものを含む。
【００１５】
本発明の一実施形態によると、この方法は、処理回路により、記録されたデータで表されるパラメータに基づいてパラメータ閾値を判定することを更に含む。したがって、膀胱充満閾値に対応する閾値が判定される。閾値は少なくとも１つの判定されたパラメータに基づくため、閾値は、そこに達する及びそれを超えると失禁事象のリスクが増大する膀胱の充満レベルに対応するように判定される。更に、閾値が測定されたパラメータ（単数又は複数）である少なくとも１つの判定されたパラメータに基づくことにより、閾値は特定の個人に対して調整される。
【００１６】
本発明の一実施形態によると、この方法は、処理回路により、記録されたデータで表されるパラメータ及び以前に判定したパラメータ閾値に基づいて、パラメータ閾値を判定することを更に含む。前述の実施形態と関連して述べられる利点は、同様に本実施形態に当てはまる。更に、閾値の判定が、また、以前に判定した閾値に基づくことにより、閾値は、時間の経過とともに、より良好に特定の個人の失禁問題に対応するよう調整される。
【００１７】
本発明の一実施形態によると、この方法は、処理回路により、このパラメータをパラメータ閾値と比較することと、処理回路により、比較の結果に基づいて警告信号を生成することとを更に含む。上述の実施形態のいずれかの１つに応じて、閾値が判定される。着用者は、このように、失禁事象のリスクの増大があり得るという警告がされる。警告信号に応じて、視覚的、聴覚的又は触覚的表示がユーザに提供される。
【００１８】
本発明の一実施形態によると、この方法は、処理回路により、尿検知回路へと放出される尿の量を推定することと、ユーザが吸収性物品上に排尿していることを判定することに応じて、処理回路により、尿検知回路へと放出される尿の推定量を表すデータを記録することとを更に含む。本実施形態により、排尿事象を、膀胱充満レベルを示すパラメータ及び着用者により放出される尿の推定量と相関付けることが可能になる。このタイプの相関関係は、前述の通り、通常、比較的少量の尿の漏れを特徴とする緊張性尿失禁の監視に対して特に有用である。膀胱の充満レベル及び放出される尿の量に関する情報は、それによって、失禁を引き起こし得る状況及びこれらの活動における失禁の重大度を特定することにとって有益である。
【００１９】
本発明の一実施形態によると、尿検知回路の変化した電気特性に基づいて尿の量は推定される。より具体的には、尿検知回路の変化した電気特性を検出することにより、処理回路は尿検知回路が尿に晒されていることを判定することができる。
【００２０】
本発明の一実施形態によると、尿検知回路は、尿に晒されると電気的応答を呈示するように構成され、処理回路は、尿検知回路の電気的応答を検出することにより、尿検知回路が尿に晒されていることを判定することができる。
【００２１】
本発明の一実施形態によると、尿検知回路の変化した電気特性は尿検知回路へと放出される尿の量を示す／尿の量に比例する。
【００２２】
本発明の一実施形態によると、尿検知回路の電気的応答は尿検知回路へと放出される尿の量を示す／尿検知回路へと放出される尿の量に比例し、処理回路は尿検知回路の電気的応答に基づいて尿検知回路へと放出される尿の量を推定することができる。
【００２３】
本発明の一実施形態によると、特性の変化又は応答の大きさを判定することにより、処理回路は尿検知回路へと放出される尿の量を推定することができる。
【００２４】
本発明の一実施形態によると、尿検知回路は、尿検知回路からの信号の送信に電力を供給するために、尿に晒されると電流を生成するように構成された部分を含み、処理回路は、尿検知回路からの信号を受信することに応じて、このデータを記録することができる。したがって、排尿事象は処理回路によりデータの記録を直接的にトリガする。更に、信号の送信に電力を供給する電流が尿により生成されるため、尿検知回路内の追加的な電源を必要としない。尿検知回路は、それによって、合理的に比較的低いコストで製造することができる。
【００２５】
本発明の一実施形態によると、処理回路は受信した信号に基づいて尿検知回路へと放出される尿の量を推定することができ、受信した信号は尿検知回路へと放出される尿の量を示す。
【００２６】
本発明の一実施形態によると、この部分によって生成された電流は、この部分の尿に晒されている表面積に比例する。
【００２７】
本発明の一実施形態によると、この部分は、この部分が尿に晒されるとアノードとして機能するように構成される第１の導電路若しくは電極と、カソードとして機能するように構成される第２の導電路若しくは電極とを含む。アノード−カソードペアによって信頼性の高い、自己発電型尿検知回路の合理的かつ比較的安価な製造が可能になる。
【００２８】
本発明の一実施形態によると、尿検知回路部は、尿検知回路のメモリ内に記憶されるカウンターの増加に電力を供給するために、尿に晒されると電流を生成するように構成される部分を含む。複数の以後の排尿からもたらされる水分の量に関する情報は、それによって、処理回路と尿検知回路の間の信号伝達の低減した量によって集められる。そのため、処理回路は、カウンターに基づいて尿検知回路へと放出される尿の量を推定することできる。
【００２９】
本発明の一実施形態によると、この方法は、処理回路により、尿検知回路が尿に晒されていることを判定することに応じて時間データを記録することを更に含む。失禁事象の時間は、それによって記録される。
【００３０】
本発明の一実施形態によると、この方法は、ユーザの上に配置されるセンサを用いてユーザの向き及び／又は動きを判定することと、尿検知回路が尿に晒されていることを判定することに応じて、処理回路により、センサにより判定された向き及び／又は動きに基づいてユーザの推定された動き及び／又姿勢を表すデータを記録することとを更に含む。本実施形態は、排尿事象の実際の検出と、膀胱充満レベルを示している少なくとも１つの判定されたパラメータ、並びに（ユーザの現在の活動を示す）着用者の推定された動き及び／又は姿勢との相関付けを可能にする。
【００３１】
本発明の一実施形態によると、この方法は、処理回路により、記録されたデータで表されるパラメータ、並びに動き及び／又は姿勢を表すデータに基づいてパラメータ閾値を判定することを更に含む。以下に詳細に説明するように、着用者の動き及び／又は姿勢は、測定回路によるパラメータ（単数又は複数）の判定及び特定の充満レベルにおける失禁事象のリスクの両方に影響を与える。本実施形態は、それ故、ユーザが失禁事象時に有した推定された動き及び／又は姿勢にも基づいて、閾値が判定されることを可能にする。閾値は、したがって、動き及び／又は姿勢に関連している。
【００３２】
本発明の一実施形態によると、この方法は、膀胱の充満レベルにより変化するパラメータを判定するために、複数回、測定回路を用いて膀胱の測定を実行することと、処理回路により、各判定されたパラメータを１つ以上のパラメータ閾値と比較することとを更に含み、各閾値はユーザの動き及び／又は姿勢に関連付けられている。本実施形態の利点は先の実施形態から理解され得る。
【００３３】
本発明の一実施形態によると、この方法は、処理回路により、判定されたパラメータに基づいて膀胱充満レベルを推定することを更に含む。膀胱充満レベルの推定がこの記録されたデータ内に含まれる、及び／又は、推定された膀胱充満レベルを示す視覚的、聴覚的又は触覚的信号をユーザへ提供することによってユーザに示される。
【００３４】
本発明の一実施形態によると、処理回路は、（例えば、尿検知回路が尿に晒されていることを検出することにより）排尿事象を検出した後に、排尿事象の検出に応じて記録されたデータで表される少なくとも１つのパラメータと、排尿事象の検出後の時点において測定回路により判定されたパラメータとの間の比較を実行する。排尿の前のレベルと後のレベルとの充満レベルを比較することにより、尿閉問題を特定することができる。
【００３５】
更に本発明の他の態様を形成するように意図される一実施形態によると、ユーザの皮膚に近接している場合の第１の電気特性若しくは応答、及びユーザの皮膚から遠隔している場合の第２の電気特性若しくは応答を呈示するように構成された皮膚近接センサを用いて、皮膚近接センサの変化した電気特性又は応答に基づいて皮膚近接センサとユーザの皮膚との間の分離を検出することと、膀胱の充満レベルにより変化するパラメータを判定するために測定回路を用いて着用者の膀胱の測定を実行することと、この検出することに応じて、処理回路により、測定回路により判定された第１のパラメータを表し、分離の検出時若しくは分離の検出前の第１の時点における膀胱充満レベルを示すデータを記録することと、処理回路により、測定回路により判定された第２のパラメータを表し、第１の時点より後の第２の時点における膀胱充満レベルを示すデータを記録することを含む方法が提供される。
【００３６】
処理回路は第１のパラメータと第２のパラメータとの間の比較を実行できる。
【００３７】
第２の時点は予め決められた時間間隔（例えば、通常の排尿の想定持続時間）により第１の時点に対して遅延している。あるいは、第２の時点は、処理回路が、皮膚に対する皮膚近接センサの復元した近接度を検出した後又は検出する時点に対応する。
【００３８】
皮膚近接センサは、例えば（おむつ／おしめ又は下着／肌着などの）ユーザにより着用された吸収性物品又は例えば（ズボン、ショーツ、スカート又はユーザにより着用された同様のものなどの）衣類の上縁部へと取り付けられるように構成される。ユーザがトイレ内で排尿するために吸収性物品又は衣類を引き下げると、皮膚近接センサは皮膚との近接度を失う。ユーザが排尿後に吸収性物品又は衣類を引き上げると、皮膚近接センサは皮膚との近接度を取り戻す。排尿の前のレベルと後のレベルと充満レベルを比較することにより、尿閉問題を特定することができる。
【００３９】
本発明の第２の態様によると、吸収性物品に設けられ、尿に晒されると変化した電気特性を呈示するように構成される尿検知回路を用いて、ユーザか吸収性物品上に排尿しているどうかを判定することと、ユーザが吸収性物品上に排尿していることを判定することに応じて、処理回路により、膀胱充満レベルに影響を及ぼす測定された若しくはユーザが提供したパラメータを表すデータを記録することとを含むユーザの失禁を監視する方法が提供される。
【００４０】
第１の態様と関連して述べられる利点は、この方法が排尿事象又は失禁事象と膀胱充満レベルに対して影響を有するパラメータとの相関付けを可能にするという点において、同様に、本態様に当てはまる。膀胱の充満レベルに対する影響を有するパラメータに関する情報は、それによって、どのパラメータ値において失禁事象のリスクが増大するかを理解するために有益である。
【００４１】
第２の態様の方法を第１の態様の方法と組み合わせてもよく、膀胱充満レベルに対して影響を有するパラメータ（単数又は複数）及び膀胱の充満レベルにより変化するパラメータ（単数又は複数）の両方の記録は、失禁の更により詳細な及び完全な分析及び診断を可能にすることができる。
【００４２】
本発明の一実施形態によると、この方法は、ユーザが吸収性物品上に排尿していることを判定することに応じて、処理回路により、このパラメータ及びユーザが吸収性物品上に排尿しているという表示を表すデータを記録することを更に含む。処理回路は、このため、尿検知回路が尿に晒されているという表示とパラメータの値を関連付ける。この関連付けは表示をパラメータにリンクさせることを含んでもよい。
【００４３】
ユーザが提供したパラメータは、ユーザによる液体摂取量及びユーザによる液体摂取のタイプ、糸球体濾過率（ＧＦＲ）又は最後にトイレに行った時間を表し得る。
【００４４】
測定されたパラメータは最後にトイレに行ってから経過した時間、温度、時刻、ユーザの動き及び／又は姿勢を表し得る。
【図面の簡単な説明】
【００４５】
更なる目的と同様に、上記の本発明の概念の特徴及び利点は、添付図面を参照して、本発明の概念の好ましい実施形態の以下の例示的及び非限定的な詳細な説明を介してよりよく理解され、同じ参照番号は類似要素のために用いられるであろう。
【図１】幾つかの実施形態による方法にて用いられるシステムの概略図である。
【図２】幾つかの実施形態による方法にて用いられる尿検知回路の一実施形態を示す。
【図３】幾つかの実施形態による方法にて用いられる尿検知回路の他の実施形態を示す。
【図４】幾つかの実施形態による方法にて用いられる別のシステムの概略図である。
【図５】第１の態様による方法のフローチャートである。
【図６】第２の態様による方法のフローチャートである。
【発明を実施するための形態】
【００４６】
本発明の概念の各態様の詳細な実施形態を、ここで、図面に基づいて説明する。
【００４７】
本発明の第１の態様では、ユーザの失禁を監視する方法に関し、その方法は、吸収性物品に設けられ、尿に晒されると変化した電気特性を呈示するように構成される尿検知回路を用いて、ユーザが吸収性物品上に排尿しているかどうかを判定することと、膀胱の充満レベルにより変化するパラメータを判定するために測定回路を用いて膀胱の測定を実行することと、ユーザが吸収性物品上に排尿していることを判定することに応じて、処理回路により、このパラメータを表すデータを記録することとを含む。
【００４８】
本発明の第２の態様では、ユーザの失禁を監視する方法に関し、その方法は、吸収性物品に設けられ、尿に晒されると変化した電気特性を呈示するように構成される尿検知回路を用いてユーザが吸収性物品上に排尿しているどうかを判定することと、ユーザが吸収性物品上に排尿していることを判定することに応じて、処理回路により、膀胱充満レベルに影響を及ぼす測定された若しくはユーザが提供したパラメータを表すデータを記録することとを含む。
【００４９】
第１及び第２の態様による方法を実行するために用いられるシステム１００を、ここで、図１を参照して説明する。図１は失禁を監視するためのシステム１００を概略的に示す。システム１００は尿検知回路１１０、測定回路１２０及び処理回路１３０を含む。尿検知回路１１０は、尿に晒されると、変化した電気特性を呈示するように構成される。換言すれば、尿検知回路１１０は、尿に晒されていることに反応して、変化した電気特性又は電気性質を呈示することができる。以下に更に詳細に記載するように、尿検知回路１１０の変化した電気特性は尿検知回路１１０へと放出される尿の量を示す、又は尿検知回路１１０へと放出される尿の量に比例する。使用に際して、尿検知回路１１０は、通常、着用者の股領域内に、例えば、吸収性物品（例えば、おむつ／おしめ、生理用ナプキン／パッド又は尿を吸収するための幾つかのその他の物品）において又は下着若しくは肌着に関連して位置する。また、着用者は、システム１００のユーザと称される。失禁事象が生じる場合、尿は吸収性物品又は着用者の下着へ放出され、尿検知回路１１０は尿に晒される。
【００５０】
処理回路１３０は尿検知回路１１０が尿に晒されているかどうかを判定するように構成される。以下に更に詳細に記載するように、処理回路１３０は尿検知回路１１０と（例えば、無線又は有線インタフェース上で）通信し、尿検知回路１１０の電気特性が変化したことを検出することにより尿検知回路１１０が尿に晒されていることを判定するように構成される。また、処理回路１３０は、ユーザへ（例えば、無線又は有線インタフェース上で）吸収性物品（例えば、おむつ／おしめ、生理用ナプキン／パッド又は尿を吸収するための幾つかのその他の物品）が飽和し、交換されなければならないという信号を送る。これにより吸収性物品の漏れを回避するだろう。一方、測定回路１２０は膀胱の充満レベルにより変化する少なくとも１つのパラメータを判定するための着用者の膀胱の測定を実行するように構成される。測定回路１２０により判定されたパラメータ（単数又は複数）は、例えば、膀胱のインピーダンス及び／又は膀胱サイズの超音波測定であってもよい。更なる例を以下で示す。測定回路１２０は、通常、着用者の膀胱領域に又は着用者の膀胱領域の近くに位置する。測定回路１２０は、例えば、膀胱領域の皮膚に（例えば、接着剤によって）固定される、ストラップによって着用者に固定される、又はおむつ若しくは下着の縁部に固定されるユニット内に提供される。
【００５１】
システム１００は、着用者に取り付けられ、センサ１４０の向き及び／又は動きを判定するように構成されるセンサ１４０を更に含む。センサ１４０は、例えば、ＭＥＭＳデバイスの形態の加速度計及び／又はジャイロを含んでいてもよい。加速度計は単軸加速度計、２軸加速度計又は３軸加速度計であってもよい。加速度計は、例えば処理回路１３０によりアクセス可能なメモリ又はバッファ内に測定を記憶することにより、向き及び／又は動きの測定を提供する。センサ１４０は予め定められた数の測定を記憶し、予め定められた数を超えた場合に最も古い測定を廃棄することを開始するように構成される。これは、例えば、先入れ先出しバッファ（すなわち、ＦＩＦＯバッファ）を用いて簡便に実装されてもよい。処理回路１３０は向き及び／又は動き測定に基づき、センサ１４０の着用者の動き及び／又は姿勢を推定する。時間間隔の間、動き測定を比較することにより、処理回路１３０は時間間隔の間着用者が動いていたかどうかを判定及び／又は着用者の姿勢を推定することができる。また、処理回路１３０は、動きのタイプを、歩くことによる動き、走ることによる動き、又は着用者が向き若しくは姿勢を変えることによる動きとして任意で特徴付ける。非限定的実施例として、加速度計の軸が身体の長さ方向に沿って配向される場合、加速度計はユーザが立っている場合の重力による加速度に対応する信号とユーザが横たわっている場合のゼロに近い信号とを提供する。この概念を更なる姿勢を特定することができるように拡張する。
【００５２】
センサ１４０の着用者の動きパターン及び姿勢は現在の膀胱充満レベルが不随意の排尿事象のリスクの増大を意味するかどうかに更に影響を及ぼす。また、それは、パラメータ測定（単数又は複数）、特に測定回路１２０により測定されるインピーダンスに影響を及ぼす。
【００５３】
そのため、処理回路１３０は、尿検知回路１１０が尿に晒されていることを判定することに応じて、尿検知回路１１０へと放出される尿の量を推定し、測定回路１２０により判定された少なくとも１つのパラメータを表すデータ、センサ１４０により判定された向き又は動きに基づく着用者の推定された動き及び／又は姿勢、並びに尿検知回路１１０へと放出される尿の推定量を記録するように更に構成される。失禁事象の発生は着用者の動きパターン又は姿勢（すなわち、活動）及び膀胱充満レベルの両方に相関するため、パラメータ測定（単数又は複数）を表すデータ、尿の推定量及び動き／姿勢の組み合わせは、着用者の失禁事象のより正確かつ広範な分析を可能にすることができる。
【００５４】
処理回路１３０は測定回路１２０として同一ユニット内に構成され得、測定回路１２０に直流的に接続される。センサ１４０は測定回路及び／又は処理回路１３０として同一ユニット内に設けられる。また、測定回路１２０、処理回路１３０及びセンサ１４０は、別々のキャリア（例えば、異なる回路基板若しくは異なる基板）上に構成され、測定回路１２０及びセンサ１４０は配線又は対応するプラグ−ソケットインタフェースにより処理回路１３０に接続できる。また、測定回路１２０、処理回路１３０及びセンサ１４０は、同一のキャリア上に構成され、回路１２０，１３０及びセンサ１４０は導電路のセットにより接続される。
【００５５】
尿に晒される量が増加する場合（すなわち、失禁事象により）、尿検知回路１１０の電気特性は第１の特性から第２の特性へ変化する。変化した電気特性は、尿検知回路１１０が比較的乾燥した状態（例えば、失禁事象の発生前）から比較的湿った状態（例えば、失禁事象が発生した場合）へ変化することの結果として発生することが理解されよう。また、変化した特性が、尿検知回路１１０がすでに湿った状態（例えば、第１の失禁事象の結果として）から更により湿った状態（例えば、第１の失禁事象後の第２の失禁事象の結果として）へ変化することの結果として発生する。したがって、電気特性は尿検知回路１１０が晒されている尿の量に比例する方法で変化する。換言すれば、尿検知回路１１０の変化した電気特性は尿検知回路１１０へと放出される尿の量を示す、又は尿検知回路１１０へと放出される尿の量に比例する。
【００５６】
更に、尿検知回路１１０に関して尿に晒すことは、本文中、必ずしも尿との直接的接触を意味しなくてもよい。事実、尿検知回路１１０を吸収性材料内に埋め込んでもよく、着用者により放出される尿に対する直接的接触が生じなくてもよい。しかしながら、尿検知回路に近接する尿の存在は、それにもかかわらず、変化した電気特性を引き起こすことができる。
【００５７】
尿検知回路１１０は尿に晒されると電気的応答を呈示するように構成され、処理回路１３０は尿検知回路１１０の電気的応答を検出することにより尿検知回路１１０が尿に晒されていることを検出するように構成される。更に、尿検知回路の電気的応答は、尿検知回路１１０へと放出される尿の量を示す、又は尿検知回路１１０へと放出される尿の量に比例し、処理回路１３０は尿検知回路１１０の電気的応答に基づいて尿検知回路１１０へと放出される尿の量を推定するように構成される。
【００５８】
変化した電気特性又は尿検知回路１１０の電気的応答は、例えば、尿検知回路１１０の変化した電気的パラメータを含んでいてもよい。変化する特定のタイプの電気的パラメータは尿検知回路１１０の実際の設計（例えば、どの回路要素が回路１１０内に含まれているか）に依存し、例えば、変化した抵抗、変化したインダクタンス、変化したキャパシタンス若しくは変化したインピーダンスのうちの１つ又はそれらの組み合わせを含んでいてもよい。また、以下に詳細に記載するように、変化した電気特性又は電気的応答は、受信高周波信号の変化したエネルギー吸収、及び／又は（例えば、尿検知回路１１０の変化した共振周波数及び／又は尿検知回路１１０における尿による送信した／受信した高周波信号の吸収による信号減衰により）尿検知回路１１０から送信される高周波信号の変化したエネルギーを含んでいてもよい。また、以下に詳細に記載するように、変化した電気特性は、尿検知回路１１０の一対の電極（例えば、アノード−カソードペア）における変化した電圧を含んでいてもよい。
【００５９】
また、以下この点について記載するように、処理回路１３０は変化の大きさを判定することにより尿検知回路へと放出される尿の量を推定するように構成される。
【００６０】
図２はシステム１００内の尿検知回路１１０として用いてもよい尿検知回路２１０を示す。尿検知回路２１０は尿に晒されると電流を生成させるように構成される部分２１２を含む。尿検知回路２１０は第１及び第２の電極２１４，２１５を含む。尿が電極２１４、２１５の間に存在するとき、第１の電極２１４はアノードとして機能するように構成され、第２の電極２１５はカソードとして機能するように構成される。したがって、尿は電解質として機能してよく、第１及び第２の電極２１４，２１５の間の電圧を生成する。したがって、尿検知回路２１０は、尿に晒されると変化した電圧特性及び電流特性を呈示するように構成される。生成された電流の大きさは部分２１２の尿に晒されている表面積に比例する。電極２１４，２１５のための種々の材料の組み合わせが可能である。例えば、第１の電極２１４は銅を含んでいてもよく、第２の電極２１５はマグネシウムを含んでいてもよい。第１の電極２１４は銅を含んでいてもよく、第２の電極２１５は亜鉛を含んでいてもよい。第１の電極２１４は炭素を含んでいてもよく、第２の電極２１５はマグネシウムを含んでいてもよい。
【００６１】
図２に示すように、第１の電極２１４及び第２の電極２１５の各１つは櫛状の構造に構成される４つの細長い又は指状の電極部を含む。第１及び第２の電極２１４，２１５の電極部は、図示されているように、交互に構成される。電極２１４，２１５のかかる構成は櫛型電極構造と称される。第１及び第２の電極２１４，２１５の電極部の数を変えて、特定の用途のために所望の範囲内にある電流を生成し、したがって、尿検知回路２１０の感度を用途別の要件に応じて適合させてもよいという点に留意すべきである。理解され得るように、部分２１２において生成される最大電流はとりわけ電極の寸法（例えば、長さ）、隣接したアノード−カソード電極部の間のオーバーラップの量及び、また、尿内の電解質濃度（イオン濃度）により制限されるだろう。生成される電流は、このため、部分２１２において塩（例えば、塩化ナトリウム）を供給することによって増大する。また、最大電流は、各電極２１４，２１５の電極部の数に比例する。より多くの電極部はより大きな生成される電流をもたらすことができるが、幾つかの用途においては各電極２１４，２１５の単一の電極部（例えば、単一の「指部」）で十分であると考えられる。より多くの数の電極部は尿検知回路２１０のより大きな尿感知領域を提供することができるということもまた理解されたい。
【００６２】
任意で、ポリ塩化ビニル（ＰＶＣ）又はポリウレタンなどのポリマーコーティングが部分２１２において及び／又は電極２１４，２１５に対して適用される。より一般的に、ポリマーは尿内に存在し得る１つ以上の特定の分析物（例えば、クレアチン、カルシウム又は尿酸）と反応するポリマーであってもよい。尿に晒される（及び検体が尿内に存在する）と部分２１２において生成される電流は、それによって増大する。
【００６３】
第１及び第２の電極２１４，２１５は尿検知回路２１０の送信機２１６に直流的に接続できる。したがって、電極２１４，２１５において生成された電流は、尿検知回路２１０から無線信号を送信するための送信機２１６に電力を供給する。更に以下この点について記載されるように、無線信号を処理回路１３０に接続された受信機により受信でき、処理回路１３０は尿検知回路２１０が尿に晒されていることを判定することができる。
【００６４】
部分２１２において生成されたより大きな電流は送信機２１６に供給されるより大きな電力を意味する。したがって、送信機２１６から送信される無線信号の電力は部分２１２へと放出される尿の量を示す、又は部分２１２へと放出される尿の量に比例する。したがって、処理回路１３０は、受信した無線信号の強度（例えば、絶対強度又は予め定められた基準値に関連した相対強度）を判定することにより尿検知回路２１０へと放出される尿の量を推定する。処理回路１３０は、例えば、受信した信号の電力を測定でき、測定された電力を、予め定められた（例えば、キャリブレーション手順により確立された）電力レベルと尿に晒される異なる量を関連付けるルックアップテーブル（ＬＵＴ）と比較できる。
【００６５】
送信機２１６は、一般に、ＬＣ回路又はＲＬＣ回路を含んでいてもよい。任意で、アンテナ素子は送信機２１６の範囲を向上させるためにＬＣ又はＲＬＣ回路に接続できる。あるいは、電極２１４，２１５はアンテナ素子として機能するように設計される。具体例には、送信機２１６は近距離通信タイプ（ＮＦＣ）又は無線自動識別タイプ（ＲＦＩＤ）であってもよい。
【００６６】
図２に示すように、尿検知回路２１０は基板２１８上に設けられる。基板は、一般に、比較的薄いフレキシブル基板であってもよい。それ自体が当業者には周知であるプロセスに従って、例えば、基板上への導電性材料の堆積により、又は基板から導電性材料のマスキング及びエッチングにより、基板２１８上に設けられる導電部により尿検知回路２１０を形成する回路要素を形成してもよい。基板２１８は、例えば、ＰＥＴホイル（ポリエチレンテレフタレート）などの薄いプラスチックホイルであってもよい。基板２１８の一面は接着剤を設けることができる。したがって、尿検知回路２１０は、パッチ様構造に構成されてもよい。接着面は吸収性物品又は下着上への尿検知回路２１０の容易な取り付けとそこからの容易な除去とを可能にする。有利には、基板２１８は生体適合性でありかつ環境適合性であり、着用者の日常活動全体を通して着用者の不便さを最少化する形状及びサイズが提供される。基板２１８は、また、紙、布、綿又は吸収性ポリマーなどの吸収性材料を含む又はそれらから製造してもよい。したがって、基板自体が、尿を吸収し、吸収された尿は、続いて、尿検知回路２１０の電気特性の変化を引き起こす。尿検知回路２１０を有する基板２１８は吸収性物品（例えば、おむつ又は下着）の内側上に配置され、尿検知回路２１０は、吸収性物品に面する（基板は尿検知回路２１０と皮膚の間に挟入される）、又は着用者の皮膚に面する。尿検知回路２１０は、代替的に、吸収性物品の外側に配置されてもよく、尿検知回路２１０は吸収性物品により吸収される尿に晒される。更なる選択肢によれば、尿検知回路２１０は、代替的に、吸収性物品内に、例えば、おむつ又は生理用ナプキンの吸収性材料内に一体化されてもよい。
【００６７】
図３はシステム１００内の尿検知回路１１０として用いられてもよい別の尿検知回路３１０を示す。尿検知回路３１０は第１及び第２の電極３１４，３１５を含む。尿検知回路２１０と対照的に、第１及び第２の電極３１４，３１５は同一の導電性材料、例えば、銅でできていてもよい。第１及び第２の電極３１４，３１５はアンテナ構成において構成される。第１及び第２の電極３１４，３１５はＬＣ又はＲＬＣ回路３１６に接続されており、尿検知回路３１０は入力高周波信号に応じて共振する。第１及び第２の電極３１４，３１５において尿が存在する場合、尿検知回路３１０の共振周波数は（第１及び第２の電極３１４，３１５の間などの尿検知回路３１０内の抵抗又はキャパシタンスの変化により）変化する。以下に詳細に記載するように、高周波信号は処理回路１３０に接続された送信機により送信される。したがって、処理回路１３０は、送信された高周波信号に対する変化した応答に基づいて尿検知回路３１０が尿に晒されていることを判定することができる。
【００６８】
尿検知回路３１０の共振周波数の変化は尿検知回路３１０へと放出される尿の量により影響される。換言すれば、尿の存在は第１及び第２の電極３１４，３１５の周りの環境を変化させ、それによって尿検知回路３１０のための共振条件が変化する。環境の変化がより大きくなるにつれて、共振条件の変化もより大きくなる。環境内の変化は、例えば、共振条件のシフト、拡大及び／又はスペクトル変化を生じさせ、それによって影響された共振条件から尿の量を判定できる。処理回路１３０は、したがって、尿検知回路３１０に放出される尿の量を推定する。処理回路１３０は、例えば、受信した応答の電力又は受信した応答の持続時間を測定でき、測定された電力を、予め定められた（例えば、キャリブレーション手順により確立された）電力又は持続時間と尿に晒される異なる量とを関連付けるルックアップテーブル（ＬＵＴ）と比較できる。
【００６９】
図３を参照すると、各電極３１４，３１５の「指状の」電極部の数は２よりも大きいか又は小さい場合がある。上記のように、より多くの数の電極部は尿検知回路３１０のより大きい尿感知領域を提供する。更に、電極３１４，３１の設計及び寸法は、一方では、入力するＲＦ電界に対する十分な結合及び、他方では、特定の用途のための尿に対する所望の感度を得るために変更してもよい。
【００７０】
また、図２を参照すると、尿検知回路の更なる設計が、ここに記載され、無線信号の送信に電力を供給することの代わりに、部分２１２において生成した電流が尿検知回路２１０のメモリ内に記憶されるカウンターの増加に電力を供給するために用いられる。以下の議論のために、図２の素子２１６はメモリ及び送信機−受信機回路の両方を表す。処理回路は、カウンターに基づいて尿検知回路へと放出される尿の量を推定するために更に構成される。
【００７１】
尿検知回路２１０のメモリは、例えば、Ｎ−ビットレジスタを含んでいてもよく、電流／電圧がメモリに（当業者により理解されるように、特定のタイプ及びメモリの実装に特異であり得る）電力供給するのに必要な電流／電圧レベルを超えるときにレジスタ内のいくつかののビットを「０」から「１」へシフトするように構成される。シフトされるビットの数は部分２１２から供給される電圧／電流に比例する。非限定的実施例として、部分２１２への１ｍｌの尿の放出はレジスタ内の１つのビットの「０」から「１」へのシフトをもたらす場合がある。部分２１２への追加的な１ｍｌの尿の放出は部分２１２において生成される電流／電圧の倍加をもたらす場合があり、したがってレジスタ内のもう一つのビットの「０」から「１」へのシフトをもたらす場合がある。好ましくは、メモリは不揮発性メモリであり、メモリが電力供給されないときでさえビットレジスタの状態が維持されるだろう。それによって、部分２１２が以後の尿の放出前になるか又はメモリの読み出しが実行されているとしてもビットレジスタの状態（及び、したがって、カウンターの値）は保存される。
【００７２】
尿検知回路２１０の送信機−受信機回路は、読み出しユニット（例えば、処理回路１３０に接続された送信機を用いて無線信号を送信する処理回路１３０）から無線読み出し信号を受信することに応じて、カウンターの値を応答信号にエンコードし、応答信号を当業者には周知である技術を用いて無線で読み出しユニットへ送信するように構成される。任意で、尿検知回路２１０のメモリ内のカウンターは読み出し後にゼロにリセットされる。読み出し信号は、好ましくは、（５〜３０秒毎、１〜５分毎などの）固定の繰り返し率において送信される。読み出しの間の送信機−受信機回路及びメモリの動作は、よく知られている回路設計を用いて、読み出しユニットから受信した無線信号のエネルギーにより電力供給される。また、動作は、小さいバッテリにより電力供給される。
【００７３】
送信機−受信機の動作と同様にメモリの更新、読み出し及び初期化を統御するロジックは、例えば、電極２１４，２１５に接続されている集積回路内に実装してよい。尿検知回路２１０の共振周波数の、場合により望ましくないシフトを回避する又は低減するために、流体不透過層又は封入（例えば、プラスチック）が、尿検知回路２１０をカバーするように構成されるが、電極２１４，２１５を有する部分２１２は露出する。それによって、尿検知回路２１０の部分２１２以外のその他の部分の尿への曝露は回避されるか又は最小化される。尿検知回路２１０に対する環境からの電気的アーチファクトを回避するのと同様に、例えば、金属材料（尿検知回路２１０の電極のために用いられるような同一又は異なる材料）からの絶縁層が、回路２１０を設けられた面と反対の基板２１８の下面上に構成される。
【００７４】
尿検知回路２１０はタイマーを更に含んでもよく、各カウンターの増加におけるタイマーの値をカウンターの値と一緒にメモリ内に記録できる。記録されたタイマーの値も、また、読み出しユニットに送信される応答信号にエンコードできる。それによって、読み出しユニットはカウンターの増加の相対的タイミングを判定することができる。タイマーは送信機−受信機回路及びメモリと同一のバッテリにより電力供給される。また、タイマーは、部分２１２において生成された電流により充電されるコンデンサなどのエネルギー貯蔵要素により電力供給される。好ましくは、エネルギー貯蔵要素内に記憶されるエネルギーは読み出しユニットからの無線読み出し信号の繰り返し率に等しい又は超える持続期間の間にタイマーに電力を供給するために十分である。任意で、（尿検知回路２１０のメモリ内のカウンターに加えて）タイマーは読み出し後にゼロにリセットされ得る。
【００７５】
図１を参照すると、測定回路１２０は膀胱の充満レベルにより変化するパラメータを判定するために膀胱の測定を実行するように構成される。測定回路１２０は測定回路１２０の着用者の膀胱のインピーダンスを測定するように構成される。通常、膀胱内の尿の量が増加する（すなわち、膀胱充満レベルが増大する）につれて、膀胱を横切って測定されたインピーダンスが増大するであろう。判定されたインピーダンスは、このため、膀胱充満レベルにより変化する測定可能なパラメータを形成する。測定回路１２０（この場合、インピーダンス測定回路１２０と称され得る）は着用者の膀胱を通じて電気的測定信号を送信するように構成される。測定信号は交流信号であってもよい。非限定的実施例として、周波数は、例えば、５ｋＨｚから２００ｋＨｚの範囲内であってよい。非限定的実施例として、電流は、１０μＡから１０００μＡの範囲内であってもよい。
【００７６】
処理回路１３０は、例えば、測定されたインピーダンスと、予め定められた（例えば、キャリブレーション手順により確立される）インピーダンス値を異なる膀胱充満レベルと関連付けるルックアップテーブル（ＬＵＴ）とを比較する。測定回路１２０はインピーダンスの二端子測定を実行するように構成される。測定回路１２０は、膀胱を介して、膀胱の第１の側において着用者の皮膚へと取り付けられるように構成される第１の皮膚電極から、（有利には、一般に、第１の側の反対側にある）膀胱の第２の側において着用者の皮膚へと取り付けられるように構成される第２の皮膚電極へ、測定信号を送信するように構成され、膀胱のインピーダンスが送信された測定信号及び第２の皮膚電極により受信される測定信号に基づいて判定される。あるいは、測定回路１２０はインピーダンスの四端子測定を実行するように構成される。それによって電極−皮膚接触抵抗の寄与分は補償し得る。いずれの場合においても、電極は乾式タイプであってもよく、又は、電極と皮膚との間の接触を向上させるために、ゲルタイプ若しくは湿式タイプであってもよい。
【００７７】
測定回路１２０は膀胱のインピーダンスを繰り返し測定するように構成される。測定されたインピーダンスは測定回路１２０のアナログ−デジタル変換器によりデジタル化され、処理回路１３０によりアクセス可能なメモリ又はバッファ内に記憶される。測定回路１２０は予め定められた数の測定されたインピーダンスを記憶し、予め定められた数を超えると最も古いインピーダンス測定を廃棄することを開始するように構成される。これは、例えば、先入れ先出しバッファ（すなわち、ＦＩＦＯバッファ）を用いて簡便に実装されてよい。
【００７８】
測定されたインピーダンスをデジタル化する測定回路１２０に代えて、測定されたインピーダンスを表しているアナログ信号が処理回路１３０に提供され、処理回路１３０のアナログ−デジタル変換器を用いて受信したアナログ信号をデジタル化し、デジタル化された信号を処理回路１３０によりアクセス可能なメモリ又はバッファ内に記憶できる。
【００７９】
あるいは、測定回路１２０は、膀胱の超音波測定を実行するように構成される。より具体的には、測定回路１２０は膀胱の寸法を判定又は推定することができる。この寸法は、例えば、膀胱の幅であってよい。通常、膀胱内の尿の量が増加する（すなわち、膀胱充満レベルが増大する）につれて、膀胱は膨張し、膀胱の幅寸法が増大するであろう。定められた幅は、このため、膀胱充満レベルにより変化する測定可能なパラメータを形成する。測定回路１２０（この場合、超音波測定回路１２０と称され得る）は超音波信号を送信し、超音波エコー信号を受信するように構成される超音波トランスデューサーを含むように構成される。超音波トランスデューサーは測定回路１２０の使用の際に着用者の膀胱領域において皮膚部分に面するように構成される。膀胱が膨張するにつれて、トランスデューサーに最も近い膀胱壁における反射からもたらされるエコー信号と遠隔の及び反対側の膀胱壁における反射からもたらされるエコー信号との間の時間が増大するであろう。上記のインピーダンスを測定する場合と同様に、トランスデューサーは、処理回路１３０によりアクセス可能なメモリ又はバッファ内、例えば上記のようなＦＩＦＯバッファ内にこれらの２つのエコー信号の間の時間差を記憶するように構成される。超音波測定の精度を向上させるために、測定回路１２０が超音波トランスデューサーのアレイにより提供することが可能であり、複数の位置において膀胱の幅寸法に基づいて膀胱の膨張のより正確な推定を得ることが可能である。
【００８０】
上記において代案として記載されるが、膀胱の超音波測定とともにインピーダンス測定を実行するために測定回路１２０を設計することも可能であろう。これらの２つの異なるタイプのパラメータの両方を判定すること及び相関付けることにより、膀胱充満レベルの精度は向上する。
【００８１】
膀胱充満レベルに関する上記の測定に加えて、測定回路１２０は膀胱の磁界測定、膀胱の光反射測定又は膀胱サイズ若しくは膀胱圧の機械的測定の１つ又はそれらの組み合わせを実行するように（インピーダンス及び超音波測定に代えて又はそれに加えて）構成される。
【００８２】
磁気測定のために、測定回路１２０は膀胱を通じて振動磁界を生成するインダクタ回路を含んでいてもよい。膀胱充満レベルが増大するにつれて、膀胱内の尿の増加量はインダクタ回路内の渦電流を誘導し、その結果として増大したエネルギーが磁界により消散する。この変化に比例するパラメータが判定され、測定回路１２０のアナログ−デジタル変換器によりデジタル化される。測定回路１２０の上記の説明を踏まえて、判定されたパラメータは処理回路１３０によりアクセス可能なメモリ又はバッファ内、例えば上記のようなＦＩＦＯバッファ内に記憶される。
【００８３】
光反射測定のために、測定回路１２０は光学トランスデューサー（例えば、発光ダイオード及びフォトディテクタ）を含んでいてもよい。非限定的実施例として、光の波長は赤外領域内又は近赤外領域内であってもよい。光学トランスデューサーは測定回路１２０の使用の際に着用者の膀胱領域において皮膚部分に面するように構成される。膀胱が膨張するにつれて、膀胱の血流特性は変化するだろう。これはフォトダイオードにより受信した反射された光学エネルギーに影響を与えるだろう。フォトディテクタにより検出される反射した光は、したがって、膀胱充満レベルを表しているパラメータを形成する。フォトディテクタにより検出される電力を測定回路１２０のアナログ−デジタル変換器によりデジタル化する。測定回路１２０の上記の説明を踏まえて、検出された電力の値は処理回路１３０によりアクセス可能なメモリ又はバッファ内、例えば上記のようなＦＩＦＯバッファ内に記憶される。
【００８４】
機械的測定のため、測定回路１２０は、膀胱領域において接着剤で皮膚に取り付けられた又は着用者の腰部の周りに提供されるように構成される可撓性ベルトに組み込まれているひずみゲージの抵抗を測定するように構成される。膀胱が膨張するにつれて、ひずみゲージの電気抵抗は増大する。したがって、抵抗は、膀胱充満レベルを表しているパラメータを形成する。測定回路１２０により測定されるひずみゲージの抵抗を、測定回路１２０のアナログ−デジタル変換器によりデジタル化する。測定回路１２０の上記の説明を踏まえて、抵抗の値は処理回路１３０によりアクセス可能なメモリ又はバッファ内、例えば上記のようなＦＩＦＯバッファ内に記憶される。測定回路１２０により、任意に、着用者の皮膚に（ひずみゲージに接近して又はより一般に、着用者の腹側領域上に）構成される加速度計の信号をサンプリングし記録し、呼吸により引き起こされたひずみゲージのひずみの影響は補償する。
【００８５】
上記のように、処理回路１３０は、尿検知回路１１０が尿に晒されていることを判定することに応じて、尿検知回路１１０へと放出される尿の量を推定し、測定回路１２０により判定された少なくとも１つのパラメータを表すデータと、センサ１４０により判定されるような向き又は動きに基づいて着用者の推定された動き及び／又は姿勢と、尿検知回路１１０へと放出される尿の推定量とを記録するように構成される。詳しくは、処理回路１３０が、処理回路１３０により、例えば、処理回路１３０によりアクセス可能な上記メモリ又はバッファから測定回路１２０により判定されたとして最後に記憶されたパラメータを取得することにより、排尿事象の検出に直前の時点に測定回路１２０により判定されるようなパラメータ（単数又は複数）を表しているデータを記録するように構成される。更に、処理回路１３０は、上述のように、センサ１４０による動き及び／又は向きの測定に基づいて着用者の動き／姿勢を推定する。それによって、記録したデータを用いて、膀胱充満レベルと、排尿若しくは失禁事象の発生、着用者の動き及び／若しくは姿勢、並びに放出された尿の量を相関付けてもよい。データを処理回路１３０のメモリ内に記録できる。記録されたデータは外部ユニットへの送信のために又は更なる分析のために記憶される。
【００８６】
より具体的には、処理回路１３０は、測定回路１２０によりを判定されるような少なくとも１つのパラメータと、推定された動き／姿勢と、尿検知回路１１０へと放出される尿の推定量とを、検出された排尿事象とリンクするデータ構造内に、そのデータを記録することができる。データは、例えば、配列データ構造内に又はデータベース内のエントリとして記憶され、測定回路１２０によって判定されるような少なくとも１つのパラメータと、推定された動き／姿勢と、尿検知回路１１０へと放出される尿の推定量とを、検出された排尿事象を関連付ける。データと一緒に、尿検知回路が尿に晒されているという表示が、例えば単一ビットの２値フラグを用いて記憶される。任意で、システム１００はタイマーを含んでいてもよく、排尿事象の検出の時間をデータ構造内に記録できる。記憶された時間は、例えば、時刻に対応する。
【００８７】
処理回路１３０は、また、測定回路１２０により判定されるようなパラメータ（単数又は複数）を表すデータを連続的に又は繰り返し、対応する閾値と比較するように構成される。例えば、測定回路１２０が膀胱のインピーダンスを判定するように構成される場合、閾値は不随意の排尿事象のリスクが大幅に増大する膀胱充満レベルに対応するインピーダンス閾値であってもよい。したがって、インピーダンス閾値は、膀胱充満閾値と称される。閾値は処理回路１３０にアクセス可能なメモリ内に記憶される。処理回路１３０が閾値を満たす又は超えることを判定する場合、不随意の排尿事象のリスクが増大することを示すために着用者に対して警報信号（すなわち、警告信号）が提供される。有利には、処理回路１３０は、判定されたインピーダンスと閾値との差が、着用者に例えばトイレに行かせるための時間を与えるように適合された（例えば、失禁事象が発生すると予想されている時間の１０分又は２０分前に前もって）予め定められた量より少なくなったときにすでに、着用者に対して信号を提供してもよい。信号は視覚的インジケータ（例えば、ディスプレイ又はＬＥＤ）、処理回路１３０に接続された聴覚的インジケータ（例えば、スピーカ）又は触覚的インジケータ（例えば、振動器）によって生成された視覚的、聴覚的及び／又は触覚的信号であってもよい。あるいは、信号は、処理回路１３０により、そのディスプレイ上に警告を呈示し得るか又は聴覚的警告を生成する外部機器（例えば、携帯電話、タブレットコンピュータ又はパーソナルコンピュータ）へ提供される。
【００８８】
また、上記のインピーダンスベースの閾値比較を、測定回路１２０が判定し、上述のその他のパラメータタイプのために対応する方法で行ってもよい。したがって、各タイプのパラメータ閾値はそれぞれ膀胱充満閾値と称される。処理回路１３０は、判定されたパラメータ（単数又は複数）の任意の１つが自身の関連した閾値を満たすか又は超えることに応じて、警告信号を提供するように構成される。
【００８９】
閾値（単数又は複数）は、例えばシステム１００のキャリブレーション段階の間に予め定められる。あるいは、処理回路１３０は、閾値（単数又は複数）を設定するように構成される。処理回路１３０は、失禁事象を検出することに応じて、測定回路１２０により判定され、処理回路１３０により記録されるデータで表されるパラメータ（単数又は複数）に基づいて各閾値を設定するか又は構成する。処理回路は、例えば最初に検出された排尿事象に応じて、各閾値を設定するため又は構成するように構成される。任意で、処理回路は、測定回路１２０により判定されたパラメータ（単数又は複数）及び以前に判定した閾値の両方に基づいて各閾値を設定又は構成する。例えば、排尿事象の検出に応じて、処理回路１３０により記録されるデータが先の閾値より小さいパラメータ値を表す場合、新しい閾値は先の閾値より小さくなるように構成されてもよい。逆に、排尿事象の検出に応じて、処理回路１３０により記録されるデータが先の閾値より大きいパラメータ値を表す場合、新しい閾値は先の閾値より大きくなるように構成されてもよい。それによって閾値（単数又は複数）は排尿事象の実際の発生時の膀胱充満レベルに基づいて適合される。
【００９０】
任意で、処理回路１３０は膀胱充満レベルを示す信号を繰り返し提供するように構成される。信号は、例えば、測定回路１２０により最も最近判定されたパラメータ（単数又は複数）の一つの値又は複数の値を示す。また、信号は、測定回路１２０により最も最近判定されたパラメータ（単数又は複数）の一つの値又は複数の値と関連するパラメータ閾値との間の一つの比率又は複数の比率を示す。信号は、例えば、膀胱充満レベルが判定したパラメータとなることを可能にする情報を提供するディスプレイへ提供される。値（単数又は複数）及び／又は比率（単数又は複数）は、例えば、処理回路１２０に接続されたディスプレイ上に呈示される。あるいは、信号は、処理回路１２０により、ディスプレイ上に値（単数又は複数）及び／又は比率（単数又は複数）を呈示することができる外部機器（例えば、携帯電話、タブレットコンピュータ又はパーソナルコンピュータ）へ提供される。
【００９１】
上記のように、処理回路１３０が閾値の比較を実行するように構成される場合において、パラメータ閾値は、好ましくは、着用者の対応する動き又は姿勢に関連していてもよい。例えば、着用者が横たわっている場合、第１のインピーダンス閾値を用いてもよく、着用者が直立又は歩行している場合、第２のインピーダンス閾値を用いてもよい。非限定的実施例として、ある特定の人の膀胱は、その膀胱が３５０ｍＬの流体を含んでいて、その人が横たわっている場合に４０オームのインピーダンスで、その人が直立に着座した場合に４２オーム又は３８オームのインピーダンスである場合、半分いっぱいであり得ることが臨床医により予め判定される。複数の異なる姿勢又は動きのタイプのための膀胱のインピーダンスを判定することにより、複数の閾値が判定され、各々特定の姿勢又は動きのタイプに関連している。閾値は処理回路１３０にアクセス可能なメモリ又はバッファ内に記憶される。
【００９２】
図４は失禁を監視するための更なるシステム４００を示す。システム４００は尿検知回路４１０を含む。尿検知回路４１０は上記の尿検知回路２１０又は３１０に従って実装してもよい。システム４００は測定回路１２０に対応する測定回路４２０及びセンサ１４０に対応するセンサ４４０を更に含む。測定回路４２０は、例えば、皮膚電極４２２を用いて膀胱のインピーダンスを測定できる。システム４００は処理回路１３０に対応する処理回路４３０を更に含む。処理回路４３０は、測定回４２０により判定される膀胱充満レベルに関連するパラメータ（単数又は複数）を表すデータ、着用者の動き及び／又は姿勢を表すデータ、並びに放出される尿の推定量表す閾値及びデータを記録するためのメモリ４３４を含む。処理回路４３０は、例えば、測定回路４２０、センサ４４０、並びに下記の任意の追加的センサからの測定信号をデジタル化するためのアナログ−デジタル変換器４３２を更に含んでいてもよいシステム４００が測定回路４２０、処理回路４３０、送信機４３６、受信機４３８、センサ４４０並びに下記の任意の追加的センサに電力を供給するためのバッテリ４３０を更に含んでいてもよい。受信機４３６は、外部機器又は通信ネットワーク（例えば、Ｂｌｕｅｔｏｏｔｈ（登録商標）低エネルギーなどのＢｌｕｅｔｏｏｔｈ（登録商標）プロトコル）との通信をサポートするための送信機部、並びに（例えば、ＮＦＣを用いて）尿検知回路へ読み出し又は問い合わせ信号を送信するための送信機部の両方を含んでいてもよい。同様に、受信機４３８は、外部機器又は通信ネットワーク（例えば、Ｂｌｕｅｔｏｏｔｈ（登録商標）低エネルギーなどのＢｌｕｅｔｏｏｔｈ（登録商標）プロトコル）との通信をサポートするための受信機部、並びに（例えば、ＮＦＣを用いて）尿検知回路からの信号を受信するための受信機部の両方を含んでいてもよい。
【００９３】
任意で、システム４００はユーザインタフェース（図４には示さず）を更に含んでいてもよい。ユーザインタフェースは、ボタン若しくはキーパッドなどのユーザ入力デバイス、ライト、スピーカ、及び液晶（ＬＣＤ）ディスプレイ若しくは発光ダイオード（ＬＥＤ）ディスプレイなどのディスプレイを含んでいてもよい。上記のように、スピーカ及び／又はディスプレイはユーザへ表示及び警告を提供するために用いてもよい。ユーザインタフェースは、また、代わりに用いられ得るか又はスピーカ及びディスプレイに対する補完として用いられ得る振動器などの触覚的インジケータを含んでいてもよい。
【００９４】
図４に概略的に示すように、要素４２０〜４６０は同一のキャリア上に構成される。キャリアは、好ましくは、（例えば、接着剤によって）着用者の膀胱領域において皮膚に固着され、ストラップによって着用者に固定され、又は、おむつ若しくは下着の縁部に固定される比較的軽量及び目立たないユニットであってもよい。
【００９５】
処理回路４３０は、例えば、マイクロプロセッサ又はＣＰＵを含んでいてもよい。処理回路４３０の動作を統御するロジックは、例えば、ソフトウェア命令として、例えばメモリ４３４などの記憶媒体（通常、非一時的な形態）に記憶され、命令は処理回路４３０により実行される場合に本明細書で記載される処理回路４３０の動作を実行するように構成される。メモリ４３４は揮発性メモリ、例えば、ランダムアクセスメモリ（ＲＡＭ）又はフラッシュメモリ等であってもよい。メモリ４３４は、例えば、プログラムセクション及びデータセクションを含んでいてもよく、プログラムセクションは上記のソフトウェア命令を記憶し、データセクションは記載された動作を行うために用いられるデータ及び変数を記憶する。あるいは、処理回路４３０の機能は１つ以上の集積回路、又は更に１つ以上の特定用途向け集積回路（ＡＳＩＣ）若しくはフィールドプログラマブルゲートアレイ（ＦＰＧＡ）に実装されてもよい。
【００９６】
図４に示すように、尿検知回路４１０が尿検知回路２１０に従って実装される場合、尿検知回路４１０は、尿に晒されていることに応じて、処理回路４３０に接続された受信機４３８によって受信される無線信号の送信に電力を供給する電流を生成する。無線信号を検出することに応じて、処理回路４３０は排尿事象が生じたことを判定し、そのため、（無線信号の検出の直前か又は無線信号の検出と同時である時点において測定回路４２０により判定されるような）パラメータ（単数又は複数）を表しているデータと、尿検知回路へと放出される尿の推定量と、着用者の推定された動き及び／又は姿勢とを記録する。あるいは、尿検知回路４１０が尿検知回路３１０に従って実装される場合、処理回路４３０は、送信機４３６によって送信された無線信号に対する尿検知回路４１０からの応答が変化する場合に、排尿事象が生じたことを判定する。処理回路４３０は予め定められた繰り返し率において尿検知回路４１０へ無線信号を繰り返し送信するように送信機４３６を制御できる。
【００９７】
任意で、システム４００は、一般的に図４の素子４６０として示される追加的なセンサを含んでいてもよい。例えば、システム４００は、制御された放尿（通常、排尿と称される）の間に尿の流れを監視するためのマイクロホンを含んでいてもよい。システム４００は、皮膚近接センサ（例えば、それ自体当該技術分野において周知である皮膚の近接度又は接触を検出するための静電容量ベースの又は抵抗ベースのタッチセンサ）を更に含んでいてもよい。皮膚近接センサは、着用者の皮膚との近接度の低減又は接触の喪失を検出することに応じて、信号を処理回路４３０へ提供するように構成される。信号は、「パンツを下げる」事象の検出を処理回路４３０へ示す。事象を処理回路４３０によりメモリ４３４内に記録でき、膀胱充満レベルに関する測定回路４２０の現在の測定に関連付けることができる。「パンツを下げる」事象は着用者が意図した放尿（排尿としても知られている）のためにトイレに行ったことを意味し得る。分析及び診断目的のために、トイレに行った時に膀胱の充満レベルを記録することは有用である。任意で、「パンツを下げる」事象はマイクロホンの作動をトリガし、マイクロホンからの音響信号に基づいて処理回路４３０は、例えばマイクロホンからの音響信号の振幅を分析することにより、放尿の音を分析し、尿の流れは連続的又は断続的であるかどうかを判定することができる。処理回路４３０はこの情報を、上記の「パンツを下げる」事象と併せて、（例えば、連続的な又は断続的な流れのいずれかを示すビットフラグとして）記録することができる。更に、処理回路４３０は、排尿が終了した後の膀胱充満レベルに関する測定回路４２０の測定を記録することができる。膀胱内に残っている尿の量が特定の予め定められた（及びユーザ固有の）量、例えば、１００ｍＬ又は１５０ｍＬを超える場合、（例えば、システムのユーザインタフェースを介して）警告信号を生成する。また、処理回路が失禁事象を検出することに応じて（すなわち、尿検知回路４１０が尿に晒されていることを判定することにより）、排尿後の膀胱充満レベルのかかる測定を実行してもよい。したがって、システム４００を尿貯留の検出のために用いてもよい。尿貯留の検出は尿路感染症につながる。また、処理回路４３０は、メモリ４３４内にこの情報を記録できると考えられる。任意で、専用の皮膚近接センサの代わりに、皮膚に近接するか又は接触すると、変化した電気特性を呈示し得る尿検知回路４１０を用いて、パンツを下げる事象を検出してもよい。
【００９８】
また、皮膚温度及び／又は周囲温度を測定するための温度センサがシステム４００内に設けられる。また、システム４００は、高度を測定するための高度計を含んでいてもよい。また、これらの追加的なセンサ４６０により実行される測定に関連するデータは、失禁事象を検出することに応じて、処理回路４３０によりメモリ４３４内に記録される。この追加的なデータは、失禁事象の発生を不随意の排尿事象の発生に対する影響を有する追加的なパラメータに相関付け得るため、着用者の失禁事象の更により正確かつ広範な分析を可能にすることができる。
【００９９】
記録したデータは、繰り返し又は要求があれば、送信機４３６により図４の要素４７０により一般的に示される外部機器又は通信ネットワークへ送信される。送信機４３６は、例えば、Ｂｌｕｅｔｏｏｔｈ（登録商標）低エネルギープロトコルを用いる。外部機器は、例えば、着用者のモバイル機器、医療スタッフのモバイル機器、及び／又はネットワークサーバである。外部機器は、ベッドに隣接して又は着用者の室内に設置されることを意図した、又は日常業務全体を通してシステム４００の着用者に常に付いている機器などの小さい、バッテリ駆動の携帯型機器であってもよい。外部機器はボタン若しくはキーパッド、及びディスプレイ若しくはその他の視覚的インジケータなどの簡単なユーザインタフェースを有する。更なる例として、外部機器は携帯電話であってもよい。送信されたデータは、順次、着用者又は医療スタッフに対してモバイル機器上に、切迫した又はすでに発生した失禁事象、推定された膀胱充満レベル及び／又は放出される尿の量の表示を提供するために用いることが可能である。また、送信されたデータは、失禁診断を判定し、ユーザの状態に最も良く適した処置を提案するための分析的研究を実行するために用いることができる。
【０１００】
分析及び診断目的のために、処理回路１３０，４３０により記録されるデータを尿意のログ又は尿意の日誌を確立するために用いてもよい。例えば、日誌は日中の（昼間）及び夜の（夜間）尿損失量及びその時間、排尿（通常の放尿）の前の膀胱内の尿量並びに排尿時間、尿の流れ、失禁事象における動き及び／又は姿勢並びに各失禁事象前の現在の膀胱充満レベルを含んでいてもよい。
【０１０１】
上記において、尿検知回路１１０，２１０，３１０，４１０と処理回路１３０，４３０との間の無線通信が開示されている。しかしながら、無線で接続される（かつ、したがって、直流的に分離される）ことの代わりに、尿検知回路１１０は、その代わりに、配線により処理回路１３０へ直流的に接続される。配線は、例えば、肌着内に又は吸収性物品内に一体化されていてもよい。例えば、尿検知回路２１０と同様の尿検知回路を、しかしながら、送信機２１６なしで用いることができ、電極２１４，２１５において生成された電流又は電圧は当該技術分野において周知である技術を用いて処理回路１３０により直接的に検出され測定される。別の実施例によれば、尿検知回路３１０と同様の尿検知回路を用いることができ、電極３１４，３１５の間の変化したインピーダンス、抵抗又はキャパシタンスは処理回路１３０により直接的に検出され測定される。そのため、処理回路１３０は、例えば、部分２１２において生成された電圧若しくは電流、又は電極３１４，３１５の間のインピーダンス、キャパシタンス若しくは抵抗を測定でき、測定を、予め定められた（例えば、キャリブレーション手順により確立された）電流／電圧／インピーダンス／キャパシタンス／抵抗レベルと尿に晒される異なる量とを関連付けるルックアップテーブル（ＬＵＴ）と、比較できる。
【０１０２】
これらの実施例において、尿検知回路１の電極２１４，２１５，３１４，３１５は、例えば、薄層として基板２１８，３１８上に形成可能である。これらの層は、例えば、１マイクロメートルの厚さであってもよく、電極は可撓性であり、したがって、着用者の不快感を最小化することができる。電極２１４，２１５，３１４，３１５の重量を更に低減するために、それらには穴があけられる。
【０１０３】
図５は一態様による方法のフローチャートである。この方法は工程５００において始まる。この方法は膀胱の充満レベルにより変化するパラメータを判定するためにユーザの膀胱の測定を実行することを含む（工程５０２）。処理回路１２０又は４２０を用いて測定を実行してもよい。判定されたパラメータは、例えば、膀胱のインピーダンス又は超音波測定を実行することにより判定される膀胱の寸法であってもよい。測定回路１２０と関連して、上記のように、磁気測定、光反射測定又は機械的測定を実行することによって、また、パラメータが判定される。複数のパラメータを相関付けることにより膀胱充満レベルの推定精度を向上させるために、これらの測定の組み合わせを実行して、パラメータのセットを判定することも、また、可能である。
【０１０４】
パラメータ（単数又は複数）を判定することに応じて、判定されたパラメータ（単数又は複数）は対応するパラメータ閾値と比較される（工程５０４）。処理回路１３０又は４３０により比較を実行してもよい。パラメータが対応する閾値を満たすか又は超える場合、警告信号が処理回路１３０，４３０により生成され得るユーザへ膀胱の充満レベルが満たされているか又は超えていることを示すための視覚的、聴覚的及び／又は触覚的信号を作動させるために警告信号を用いてもよい。表示はユーザへトイレを見つけることが賢明であることを示す。表示は、例えば、システム４００のユーザインタフェース上の光を作動させること又はユーザインタフェースのディスプレイ上のメッセージを表示すること含んでもよい。表示は、また、ユーザに不随意の排尿事象のリスクの増大を気づかせるためにスピーカ及び／又は振動器を作動させることを含んでもよい。代替的に又は追加的に、警告信号はシステム４００の送信機４３６に外部機器４７０へ無線警告信号を送信させる。無線警告信号に応じて、例えば、外部機器４７０のディスプレイ上のメッセージを表示すること及び／又は外部機器４７０のスピーカを介して音を出力することにより、表示は外部機器上に提供される。
【０１０５】
任意で、この方法はセンサ１４０又は４４０を用いてユーザの向き及び／又は動きを判定することを更に含んでいてもよい（工程５０８）。判定された向き及び／又は動きに基づいて、処理回路１３０，４３０は、工程５１０において、ユーザの動き及び／又は姿勢を推定する。図５に示すように、センサ１４０，４４０の着用者の動きパターン及び姿勢は現在の膀胱充満レベルが不随意の排尿事象のリスクの増大を意味するかどうかに影響を及ぼす。それは、また、パラメータ測定（単数又は複数）、特に測定回路１２０により測定されるインピーダンスに影響を及ぼす。それ故、工程５０４において、処理回路は各判定されたパラメータを１つ以上のパラメータ閾値と比較し、各閾値はユーザの推定された動き及び／又は姿勢に関連付けられている。このため、閾値のセットのいずれの閾値を判定されたパラメータとの比較のために用いるべきかを判定するために、工程５１０における推定の結果を工程５０４において入力として用いてもよい。述べたように、工程５０８及び５１０は任意であり、工程５０８，５１０を含まない方法については、センサ１４０，４４０はシステム１００，４００から省略される。
【０１０６】
工程５１２において、処理回路１３０，４３０は不随意の排尿事象が生じたかどうかを判定する。処理回路１３０，４３０は、吸収性物品に設けられ、尿に晒されると変化した電気特性を呈示するように構成される尿検知回路１１０，２１０，３１０又は４１０を用いて排尿事象が生じたことを判定する。尿検知回路１１０，２１０，３１０，４１０は、例えば、おむつ／おしめ、生理用ナプキン／パッド又はユーザの下着若しくは肌着と関連して構成される。処理回路１３０，４３０は、システム１００及び４００と関連して開示されている任意の技術を用いて、尿検知回路の変化した電気特性又は電気的応答を検出することにより、尿検知回路１１０，２１０，３１０，４１０が尿に晒されていることを判定する。
【０１０７】
尿検知回路が尿に晒されていることを判定することに応じて、この方法は工程５１６に進み、処理回路１３０，４３０は尿検知回路１１０，２１０，３１０，４１０へと放出される尿の量を推定する。
【０１０８】
工程５１８において、処理回路１３０，４３０は工程５０２において判定されたパラメータ（単数又は複数）を表すデータ、工程５１０において推定されたユーザの動き及び／又は姿勢、並びに工程５１６において推定された尿の量を記録する。処理回路１３０，４３０は、工程５１８において、ユーザが吸収性物品上に排尿しているという表示を更に記録し、それによってパラメータ（単数又は複数）、動き及び／又は姿勢、及び尿の量の推定を、排尿事象と関連付ける。
【０１０９】
工程５２０において、この方法はパラメータ閾値（単数又は複数）を構成することにより進むことができる。処理回路１３０，４３０は、工程５０２において判定されるパラメータ及び以前に判定されたパラメータ閾値（例えば、工程５０４において用いられた閾値）に基づいてパラメータ閾値を判定する。工程５０２において測定回路１２０，４２０により判定されたパラメータが、対応する及び以前に判定したパラメータ閾値を下回る（したがって、排尿事象前の膀胱充満レベルが失禁事象が増大するレベルを下回っていたことを意味する）場合、処理回路１３０，４３０は、新しいパラメータ閾値が以前に判定したパラメータ閾値（例えば、工程５０２において判定されたパラメータ及び以前に判定されたパラメータ閾値の平均値）より小さくなるように判定する。一方、工程５０２において測定回路１２０，４２０により判定されたパラメータが対応する及び以前に判定されたパラメータ閾値を超える（したがって、排尿事象前の膀胱充満レベルが失禁事象が増大するレベルを超えることを意味する）場合、処理回路１３０，４３０は新しいパラメータ閾値が以前に判定されたパラメータ閾値（例えば、工程５０２において判定されるパラメータ及び以前に判定されたパラメータ閾値の平均値）より大きくなるように判定する。
【０１１０】
工程５２０に続いて、この方法は工程５００に戻り、再び開始する。
【０１１１】
任意で、閾値調整は工程５１６において実行される推定の結果を条件とする。例えば、この量が（通常緊張性及び混合タイプの失禁において生じ得る）尿の比較的少量の放出に対応する場合、工程５２０をスキップしてもよい。一方、この量が（通常切迫性及び混合タイプの失禁において生じ得る）尿の比較的大量の放出に対応する場合、工程５２０を実行してよい。
【０１１２】
工程５１２において、尿検知回路１１０，２１０，３１０，４１０が尿に晒されていないことを判定する場合、この方法は工程５００に戻り、再び開始する（工程５１４）。
【０１１３】
任意で、この方法は、工程５０２と関連して、処理回路１３０，４３０により、判定されたパラメータに基づいて（例えば、上記で説明したようにＬＵＴを用いて）膀胱充満レベルを推定することを更に含んでいてもよい。その後、視覚的、聴覚的又は触覚的信号を、推定された膀胱充満レベルを表示するためにユーザへ提供することができる。表示は、例えば、システム４００のユーザインタフェース上又は外部機器４７０上で作動される。表示は、例えば、ディスプレイ上に呈示された、最大膀胱体積又は膀胱閾値の割合として提供される。あるいは、表示は、ユーザインタフェースのスピーカを介して音響信号として、又は推定された膀胱充満レベルに比例する周波数又は強度でユーザインタフェースの振動器の振動として提供される。
【０１１４】
更なる選択肢によれば、処理回路１３０，４３０は、工程５１２に続いて、この方法の各繰り返しのために、工程５０２において判定された各パラメータと、ユーザが吸収性物品上に排尿しているか否かの表示との間の関連付けを記録することができる。
【０１１５】
上記において特定の順序でこの方法の種々の工程が記載されているが、工程のその他の順序づけが、特許請求の範囲の範囲内で同様に可能であるという点に留意すべきである。例えば、工程５０２及び５０４は工程５０８、５１０の前に実行される必要はない。事実、工程５０２及び５０８を同時に実行してよいか又は工程５０８、５１０の１つ又は両方を工程５０２の前に実行してもよい。
【０１１６】
代替策として又は膀胱充満レベルに関する上記の測定に加えて、その他のパラメータに関するデータを記録することができることが更に意図されている。そのため、図６はかかる方法のフローチャートを示す。この方法はシステム１００及び４００と同様のシステム内で実行されてもよい。この方法の各工程は処理回路１３０又は４３０により実行されてもよい。
【０１１７】
この方法は工程６００において始まる。工程６０２において、ユーザ指定のパラメータを処理回路、例えば処理回路１３０又は４３０に入力してもよい。ユーザが提供したパラメータは、ユーザによる液体摂取の体積及びタイプ、糸球体濾過率（ＧＦＲ）又は最後にトイレに行った時間であってもよい。このパラメータは、例えば、ユーザ又は臨床医、看護師により、例えば、上記ユーザインタフェースを介して、又は外部機器のユーザインタフェース（例えば、４７０）を介して入力され、処理回路（例えば、４３０）に送信される。ユーザの液体摂取の知見及び糸球体濾過率に基づいて、膀胱充満レベルは膀胱の直接の測定を必要とすることなく計算により正確に推定される。臨床医はＧＦＲパラメータを判定し、処理ユニットのメモリ内に（又は代替的に外部機器のメモリ内に）これを導入する。ＧＦＲを判定する１つの方法は所定の時間間隔にわたって血液から除去されたクレアチンの量を判定するために尿を（通常２４時間）収集することである。例えば、２４時間内に１４４０ｍｇを除去する場合、これは１ｍｇ／分を除去することと同等である。血中濃度が０．０１ｍｇ／ｍＬ（１ｍｇ／ｄＬ）である場合、１００ｍＬ／分の血液がクレアチンから「きれいになって」いると言うことができる。なぜなら、１ｍｇのクレアチンを得るために、０．０１ｍｇ／ｍＬを含む１００ｍＬの血液がきれいになっている必要があるためである。クレアチンの測定は、次いで、ユーザのＧＦＲを判定するために、例えば、ユーザの年齢、性別及び人種と相関付けされる。
【０１１８】
工程６０２に加えて又はそれに代えて、工程６０４を行い、パラメータに関するパラメータ測定は処理回路１３０，４３０により受信される。測定されたパラメータは、（例えば、ユーザが液体摂取のタイプ及び量を導入してから経過した時間を判定することにより）最後の液体摂取から経過した時間、（例えば、上記の皮膚センサを用いて判定される最後の「パンツを下げる」事象から経過した時間を判定することにより）最後にトイレに行ってから経過した時間、（ユーザが吸収性物品上に排尿していることを判定した時の）温度、時刻、又は（例えば、センサ１４０又は４４０を用いて）ユーザの推定された動き及び／又は姿勢を表す。
【０１１９】
このため、ユーザの提供したパラメータ及び測定されたパラメータの両方は膀胱充満レベルに影響を及ぼすパラメータである。
【０１２０】
工程６０６において、処理回路１３０，４３０は不随意の排尿事象が生じたかどうかを判定する。処理回路１３０，４３０は、吸収性物品に設けられ、尿に晒されると変化した電気特性を呈示するように構成される尿検知回路１１０，２１０，３１０又は４１０を用いて排尿事象が生じたことを判定する。尿検知回路１１０，２１０，３１０，４１０は、例えば、おむつ／おしめ、生理用ナプキン／パッド又はユーザの下着若しくは肌着と関連して構成される。処理回路１３０，４３０はシステム１００及び４００と関連して開示されている任意の技術を用いて、尿検知回路の変化した電気特性又は電気的応答を検出することにより、尿検知回路１１０，２１０，３１０，４１０が尿に晒されていることを判定する。
【０１２１】
ユーザが吸収性物品上に排尿していることを判定することに応じて、この方法は工程６０８に進み、処理回路１３０，４３０は膀胱充満レベルに影響を及ぼす測定された及び／又はユーザが提供したパラメータを表すデータを記録する。任意で、処理回路１３０は、ユーザが吸収性物品上に排尿しているという表示と併せてデータを記録することができ、それによってパラメータ（単数又は複数）を排尿事象に関連付ける。
【０１２２】
工程６０８に続いて、この方法は工程６００に戻り、再び開始する。
【０１２３】
工程６０６において、尿検知回路１１０，２１０，３１０，４１０が尿に晒されていないことを判定する場合、この方法は工程６００に戻り、再び開始する（工程６１４）。
【０１２４】
膀胱の充満レベルにより変化する少なくとも１つのパラメータを判定するための着用者の膀胱の測定を含む上記の実施形態と組み合わされて用いられる場合、膀胱充満レベルに対する影響を有するパラメータ（単数又は複数）と、膀胱の充満レベルにより変化するパラメータ（単数又は複数）との両方の記録は、失禁の更により詳細な及び完全な分析及び診断を可能にすることができる。
【０１２５】
上記において、限られた数の実施例を参照して発明概念が主として記載されている。しかしながら、当業者により容易に理解されるように、上記で開示される実施例以外のその他の実施例は、添付の請求項により定義されたような、発明概念の範囲内で同様に可能である。
【図１】
0006339480.tif 000002
【図２】
0006339480.tif 000003
【図３】
0006339480.tif 000004
【図４】
0006339480.tif 000005
【図５】
0006339480.tif 000006
【図６】
0006339480.tif 000007